(57)【要約】【課題】手を清潔に保ったままで２種類の水を容易に切り換えることができる注水切換え装置を提供する。【解決手段】第１近接スイッチ１１は、注水口１９の下方に設定された第１範囲２１内の物体を検出する。第２近接スイッチ１２は、第１範囲２１内に含まれる第２範囲２２内の物体を検出する。弁は、第１近接スイッチ１１がオンで第２近接スイッチ１２がオフのとき、給水口１３を第１供給口１４に接続し、第１近接スイッチ１１および第２近接スイッチ１２がオンのとき、給水口１３を第２供給口１５に接続し、第１近接スイッチ１１がオフのとき、給水口１３と第１供給口１４および第２供給口１５との間を遮断する。酸性水生成器１７は、第２供給口１５に接続され、中性水から酸性水を生成して送水口１８に送る。注水口１９は、第１供給口１４および送水口１８に接続されている。【選択図】図１
2005030541.tif 000002
【特許請求の範囲】
【請求項１】
第１範囲内の物体を検出する第１近接スイッチと、
前記第１範囲より小さく少なくとも一部が前記第１範囲に含まれる第２範囲内の物体を検出する第２近接スイッチと、
給水口と第１供給口と第２供給口とを有し、前記第１近接スイッチがオンで前記第２近接スイッチがオフのとき前記給水口を前記第１供給口に接続し、前記第１近接スイッチおよび前記第２近接スイッチがオンのとき前記給水口を前記第２供給口に接続し、前記第１近接スイッチがオフのとき前記給水口と前記第１供給口および前記第２供給口との間を遮断する弁とを、
有することを特徴とする注水切換え装置。
【請求項２】
前記第２供給口に接続され、中性水から酸性水を生成して送水口に送る酸性水生成器と、
前記第１供給口および前記送水口に接続された注水口とを有し、
前記第１近接スイッチおよび前記第２近接スイッチは前記注水口の下方に前記第１範囲および前記第２範囲が設定されており、前記第２近接スイッチは前記注水口の下方で前記第１範囲の最下端の検出境界より上方に最下端の検出境界を有することを、
特徴とする請求項１記載の注水切換え装置。
【発明の詳細な説明】
【技術分野】
【０００１】
本発明は、注水切換え装置に関する。
【背景技術】
【０００２】
従来、複数種類の水を切り換えて供給する切換え装置として、入力スイッチの操作状態に応じて弁機構が所定の切換位置に位置し、電解槽で生成したアルカリ水もしくは酸性水を蛇口から選択的に吐出するものがある（例えば、特許文献１参照）。また、既存の給水および給湯配管と、蛇口およびシャワー配管との間に配管され、電解槽内で生成されるアルカリイオン水、酸性水、非電解処理水を用途に応じて自由に選択して利用できるものもある（例えば、特許文献２参照）。
【０００３】
【特許文献１】特開平６−３０４５６２
【特許文献２】特開平６−２３８２７４
【発明の開示】
【発明が解決しようとする課題】
【０００４】
しかしながら、従来の切換え装置では、供給する水の種類を変えるとき、スイッチや蛇口のハンドルなどを操作しなければならず、スイッチなどに触れたときに洗い終えたばかりの手が菌などで汚染されるという課題があった。このとき、スイッチとして近接スイッチを用いれば、スイッチに触れずに水の切換えが可能になるが、手の洗浄の動作と水を切り換えるスイッチの操作とを別々に行うことになり、操作に手間がかかることになる。
【０００５】
本発明は、このような従来の課題に着目してなされたもので、手を清潔に保ったままで２種類の水を容易に切り換えることができる注水切換え装置を提供することを目的としている。
【課題を解決するための手段】
【０００６】
上記目的を達成するために、本発明に係る注水切換え装置は、第１範囲内の物体を検出する第１近接スイッチと、前記第１範囲より小さく少なくとも一部が前記第１範囲に含まれる第２範囲内の物体を検出する第２近接スイッチと、給水口と第１供給口と第２供給口とを有し、前記第１近接スイッチがオンで前記第２近接スイッチがオフのとき前記給水口を前記第１供給口に接続し、前記第１近接スイッチおよび前記第２近接スイッチがオンのとき前記給水口を前記第２供給口に接続し、前記第１近接スイッチがオフのとき前記給水口と前記第１供給口および前記第２供給口との間を遮断する弁とを、有することを特徴とする。
【０００７】
本発明に係る注水切換え装置では、第１近接スイッチおよび第２近接スイッチは、物体の存在を検出することができる非接触型のスイッチから成り、例えば光電スイッチから成る。
【０００８】
本発明に係る注水切換え装置は、給水口を水道管などに接続して使用される。第１範囲内に何も検出しないとき、第１近接スイッチはオフになっている。このとき、弁は給水口と第１供給口および第２供給口との間を遮断しており、第１供給口および第２供給口から水は出ない。
【０００９】
第１範囲内に手が入ると、第１近接スイッチがその存在を検出してオンになる。このとき、弁は給水口を第１供給口に接続し、第１供給口から水が出る。
【００１０】
さらに、第１範囲内で第２範囲内に手が入ると、第１近接スイッチとともに第２近接スイッチがその存在を検出してオンになる。このとき、弁は給水口を第２供給口に接続し、第２供給口から水が出る。
【００１１】
第１範囲内で第２範囲内から手が遠ざかると、第２近接スイッチはオフになって、再び第１供給口から水がでる。さらに、第１範囲内から手が遠ざかると、第１近接スイッチもオフになって、第１供給口および第２供給口のいずれからも水は出ない。このように、本発明に係る注水切換え装置は、給水口の接続先を第１供給口と第２供給口とで切り換えたり、ともに遮断したりすることができる。
【００１２】
本発明に係る注水切換え装置は、第１供給口または第２供給口に酸性水生成器や、アルカリ水生成器、浄水器などを取り付けて、第１供給口および第２供給口から供給される水の種類を変えることができる。これにより、スイッチや蛇口のハンドルなどに触れることなく、手を清潔に保ったままで２種類の水を容易に切り換えることができる。
【００１３】
本発明に係る注水切換え装置では、第１近接スイッチおよび第２近接スイッチがオンからオフ、またはオフからオンに切り換わるとき、その切換えに応じて弁が即座に動作しても、所定の時間をおいてから動作してもよい。
【００１４】
本発明に係る注水切換え装置は、前記第２供給口に接続され、中性水から酸性水を生成して送水口に送る酸性水生成器と、前記第１供給口および前記送水口に接続された注水口とを有し、前記第１近接スイッチおよび前記第２近接スイッチは前記注水口の下方に前記第１範囲および前記第２範囲が設定されており、前記第２近接スイッチは前記注水口の下方で前記第１範囲の最下端の検出境界より上方に最下端の検出境界を有することが好ましい。
【００１５】
この構成で給水口を水道管に接続した場合、第２範囲内に手が入ると、酸性水生成器により生成した酸性水が送水口を経て注水口から供給されるため、酸性水で手を消毒することができる。さらに、第２範囲内から手が遠ざかり、第１範囲内のみにあるとき、注水口からは水道水が供給されるため、手に付いた酸性水を水道水で洗い流したり、手を水道水で洗浄したりすることができる。第１範囲および第２範囲は注水口の下方に設定されているため、注水口に手を近づける自然の動作で、注水口から酸性水または水道水を出すことができる。また、第２近接スイッチが注水口の下方で第１範囲の最下端の検出境界より上方に最下端の検出境界を有しているため、注水口の下方で手を上下に動かすことにより、酸性水と水道水との切換えを行うことができる。
【００１６】
なお、第１近接スイッチおよび第２近接スイッチのオン、オフは、手で行うほか、容器や器具など他のいかなるもので行ってもよい。また、第１範囲と第２範囲の範囲の設定は、調整可能であることが好ましい。
【００１７】
この酸性水生成器を用いる構成は、医療現場や厨房など衛生面が重視される環境で好適に使用することができる。
【発明の効果】
【００１８】
本発明によれば、手を清潔に保ったままで２種類の水を容易に切り換えることができる注水切換え装置を提供することができる。
【発明を実施するための最良の形態】
【００１９】
以下、図面に基づき、本発明の実施の形態について説明する。
図１は、本発明の実施の形態の注水切換え装置を示している。
図１に示すように、注水切換え装置１０は、第１近接スイッチ１１と第２近接スイッチ１２と給水口１３と第１供給口１４と第２供給口１５と電磁弁１６と酸性水生成器１７と送水口１８と注水口１９と電気コントロール部２０とを有している。
【００２０】
第１近接スイッチ１１および第２近接スイッチ１２は、物体の存在を検出することができる非接触型の光電スイッチから成る。第１近接スイッチ１１および第２近接スイッチ１２は、注水口１９の脇に設けられている。第１近接スイッチ１１は、注水口１９の下方に物体の存在を検出可能な第１範囲２１が設定されている。第１近接スイッチ１１は、第１範囲２１内の物体を検出するとオンになり、第１範囲２１内から遠ざかるとオフになるよう構成されている。
【００２１】
第２近接スイッチ１２は、注水口１９の下方に物体の存在を検出可能な第２範囲２２が設定されている。第２範囲２２は、ほぼ第１範囲２１内に含まれている。第２近接スイッチ１２は、注水口１９の下方で第１範囲２１の最下端の検出境界より上方に最下端の検出境界を有するよう設定されている。第２近接スイッチ１２は、第２範囲２２内の物体を検出するとオンになり、第２範囲２２内から遠ざかるとオフになるよう構成されている。なお、第１範囲２１および第２範囲２２の範囲の設定は、調整可能である。
【００２２】
図１に示すように、給水口１３は、一端が水道管に接続されている。給水口１３は、他端が電磁弁１６により第１供給口１４または第２供給口１５に接続され、あるいはともに遮断されるよう構成されている。給水口１３は、水道水の流量を調節するための減圧弁２３を有している。
【００２３】
第１供給口１４は、一端が注水口１９に接続されている。第１供給口１４は、他端が電磁弁１６により給水口１３に接続されると、水道水を注水口１９に供給するよう構成されている。
第２供給口１５は、一端が酸性水生成器１７に接続されている。第２供給口１５は、他端が電磁弁１６により給水口１３に接続されると、水道水を酸性水生成器１７に供給するよう構成されている。
【００２４】
電磁弁１６は、第１近接スイッチ１１がオンで第２近接スイッチ１２がオフのとき、給水口１３を第１供給口１４に接続し、第１近接スイッチ１１および第２近接スイッチ１２がオンのとき、給水口１３を第２供給口１５に接続し、第１近接スイッチ１１がオフのとき、給水口１３と第１供給口１４および第２供給口１５との間を遮断するよう構成されている。電磁弁１６は、第１近接スイッチ１１および第２近接スイッチ１２がオンからオフ、またはオフからオンに切り換わるとき、その切換えに応じて即座に動作するように設定されている。
【００２５】
図１に示すように、酸性水生成器１７は、第２供給口１５に接続され、添加剤投入口２４と電解槽２５とを有している。添加剤投入口２４は、電解槽２５の中に添加剤を投入可能に、電解槽２５の上部に設けられている。なお、添加剤としては、塩化ナトリウムや塩化カリウムなどの電解性の物質を用いることができる。電解槽２５は、添加剤を加えた中性の水道水を電気分解し、酸性水およびアルカリ水を生成するよう構成されている。
【００２６】
送水口１８は、酸性水生成器１７で生成された酸性水を注水口１９に供給するよう、一端が酸性水生成器１７に、他端が注水口１９に接続されている。
注水口１９は、第１供給口１４から供給される水道水、または送水口１８から供給される酸性水を外部に供給するよう、一端が第１供給口１４および送水口１８に接続されている。
【００２７】
電気コントロール部２０は、家庭用電源に接続され、第１近接スイッチ１１、第２近接スイッチ１２、電磁弁１６および酸性水生成器１７に電気を供給するよう構成されている。
【００２８】
次に、作用について説明する。
注水切換え装置１０は、医療現場や厨房など衛生面が重視される環境で好適に使用することができる。注水切換え装置１０は、手を洗浄するために好適に使用される。
【００２９】
注水切換え装置１０は、第１範囲２１内に何も検出しないとき、第１近接スイッチ１１および第２近接スイッチ１２はオフになっている。このとき、電磁弁１６は給水口１３と第１供給口１４および第２供給口１５との間を遮断しており、第１供給口１４および第２供給口１５から水は供給されない。このため、注水口１９から水は供給されない。
【００３０】
第１範囲２１内に手が入ると、第１近接スイッチ１１がその存在を検出してオンになる。このとき、電磁弁１６は、給水口１３を第１供給口１４に接続し、第１供給口１４から水道水が出る。これにより、第１供給口１４に接続されている注水口１９から水道水が供給される。
【００３１】
さらに、第１範囲２１内で手の位置を上げて第２範囲２２内に手が入ると、第１近接スイッチ１１とともに第２近接スイッチ１２がその存在を検出してオンになる。このとき、電磁弁１６は、給水口１３を第２供給口１５に接続し、第２供給口１５から水道水が出る。これにより、第２供給口１５に接続されている酸性水生成器１７に水道水が供給され、酸性水生成器１７で酸性水が生成される。生成された酸性水は、送水口１８を経て注水口１９から供給される。このため、酸性水で手を消毒することができる。
【００３２】
第１範囲２１内で手の位置を下げて第２範囲２２内から手が遠ざかると、第２近接スイッチ１２はオフになって、再び第１供給口１４を経て注水口１９から水道水が供給される。このため、手に付いた酸性水を水道水で洗い流したり、手を水道水で洗浄したりすることができる。さらに、第１範囲２１内から手が遠ざかると、第１近接スイッチ１１もオフになって、第１供給口１４および第２供給口１５のいずれからも水は供給されず、注水口１９から水は供給されない。
【００３３】
注水切換え装置１０は、給水口１３の接続先を第１供給口１４と第２供給口１５とで切り換えたり、ともに遮断したりすることができる。注水切換え装置１０は、スイッチや蛇口のハンドルなどに触れることなく、手を清潔に保ったままで酸性水および水道水の２種類の水を容易に切り換えることができる。注水切換え装置１０は、第１範囲２１および第２範囲２２が注水口１９の下方に設定されているため、注水口１９に手を近づける自然の動作で、注水口１９から酸性水または水道水を出すことができる。また、第２近接スイッチ１２が、注水口１９の下方で第１範囲２１の最下端の検出境界より上方に最下端の検出境界を有しているため、注水口１９の下方で手を上下に動かすことにより、酸性水と水道水との切換えを行うことができる。
【００３４】
なお、第１近接スイッチ１１および第２近接スイッチ１２のオン、オフは、手で行うほか、容器や器具など他のいかなるものでも行うことができる。
【図面の簡単な説明】
【００３５】
【図１】本発明の実施の形態の注水切換え装置を示す一部切欠き正面図である。
【符号の説明】
【００３６】
１０  注水切換え装置
１１  第１近接スイッチ
１２  第２近接スイッチ
１３  給水口
１４  第１供給口
１５  第２供給口
１６  電磁弁
１７  酸性水生成器
１８  送水口
１９  注水口
２０  電気コントロール部
２１  第１範囲
２２  第２範囲
２３  減圧弁
２４  添加剤投入口
２５  電解槽
【図１】
2005030541.tif 000003